(57)【要約】【課題】車輌の箱型荷台自体には加工を施すことなく、該箱型荷台に対して取り付け、取り外し、交換が自在である車輌用広告看板を提供する。【解決手段】垂直な左右の各側部（３）と該各側部の上縁（３ａ）を相互に連結する連結部（５）とよりなる広告保持枠（１）を車輌（７）の箱型荷台（９）に適合させて形成し、該広告保持枠における各側部に広告（１１）を表示させ、該広告保持枠を車輌の箱型荷台に着脱自在に取り付けてなることを特徴とする車輌用広告看板。前記広告保持枠における各側部には広告を表示する広告表示体（１５）を着脱自在に取り付ける。前記広告保持枠における各側部には発光体（２５）を内設すると共に該各側部における外側部材（３ｃ）を透光体により形成する。【選択図】図１
2004309852.tif 000002
【特許請求の範囲】
【請求項１】
垂直な左右の各側部と該各側部の上縁を相互に連結する連結部とよりなる広告保持枠を車輌の箱型荷台に適合させて形成し、該広告保持枠における各側部に広告を表示させ、該広告保持枠を車輌の箱型荷台に着脱自在に取り付けてなることを特徴とする車輌用広告看板。
【請求項２】
前記広告保持枠における各側部には広告を表示する広告表示体を着脱自在に取り付けたことを特徴とする請求項１の車輌用広告看板。
【請求項３】
前記広告保持枠における各側部には発光体を内設すると共に該各側部における外側部材を透光体により形成したことを特徴とする請求項１又は２の車輌用広告看板。
【発明の詳細な説明】
【０００１】
【発明の属する技術分野】
本発明は、車輌用広告看板に関するものであり、特に車輌の箱型荷台に取り付けられる車輌用広告看板に係るものである。
【０００２】
【従来の技術】
車輌の箱型荷台に広告手段を備えさせる際には、一般に箱型荷台自体に塗装、看板の取付けその他の加工が直接施されている。
【０００３】
本出願人は先行技術文献情報を有しない。
【０００４】
【発明が解決しようとする課題】
上記従来の技術においては、箱型荷台自体に塗装、看板の取付けその他の加工が直接施されているため、加工費用が嵩むだけでなく、広告手段の付け替え作業にも大きな時間と費用がかかるという問題がある。従って、車輌の所有者が広告主との契約により一定期間を限って該広告主のために当該車輌の箱型荷台に広告を付すことにより利益を得ることが困難になる。
【０００５】
本発明は従来の技術における上述の如き問題を解決しようとしてなされたものである。
【０００６】
【課題を解決するための手段】
上記課題を解決するために、本発明は下記の車輌用広告看板を提供するものである。
【０００７】
（１）垂直な左右の各側部と該各側部の上縁を相互に連結する連結部とよりなる広告保持枠を車輌の箱型荷台に適合させて形成し、該広告保持枠における各側部に広告を表示させ、該広告保持枠を車輌の箱型荷台に着脱自在に取り付けてなることを特徴とする車輌用広告看板（請求項１）。
【０００８】
（２）前記広告保持枠における各側部には広告を表示する広告表示体を着脱自在に取り付ける（請求項２）。
【０００９】
（３）前記広告保持枠における各側部には発光体を内設すると共に該各側部における外側部材を透光体により形成する（請求項３）。
【００１０】
【作用】
［請求項１の発明］
広告保持枠における左右の各側部は車輌の箱型荷台における各側部を覆い、連結部は該箱型荷台における天板部上に位置する。
【００１１】
左右の各側部に広告を表示した広告保持枠は車輌の箱型荷台に対し着脱自在である。即ち、車輌用広告看板は、車輌の箱型荷台自体には加工を施すことなく、該箱型荷台に対して取り付け、取り外し、交換が自在である。該車輌用広告看板は新車のみならず既存車輌の箱型荷台についても支障なく着脱することができる。従って、車輌の所有者は、自己のために該車輌用広告看板を使用することができるのみならず、広告主との契約により一定期間を限って該広告主のために車輌用広告看板を該所有者の車輌に取り付けることにより利益を得ることも可能である。
【００１２】
［請求項２の発明］
広告保持枠が車輌の箱型荷台に対し着脱自在であるのみならず、広告表示体も該広告保持枠に対し着脱自在である。従って、車輌の箱型荷台から広告保持枠を取り外すことなく広告表示体のみを交換することも可能である。例えば、ある広告主との契約期間が満了したときに、車輌の箱型荷台から広告保持枠を取り外すことなく、当該広告主の広告を表示した広告表示体を広告保持枠から取り外し、他の広告主との契約に基づき当該他の広告主のための広告を表示する広告表示体を広告保持枠に取り付けることもできる。
【００１３】
［請求項３の発明］
広告保持枠における各側部に内設された発光体の光は該各側部における透光体たる外側部材を透過する。従って、広告保持枠における各側部に広告を表示させたときには、該広告は一層効果的なものとなる。
【００１４】
【発明の実施の形態】
次に、本発明の実施の形態を添付図面に従って説明する。
【００１５】
符号１に示すものは広告保持枠である。広告保持枠１は垂直な左右の各側部３、３と該各側部３、３の上縁３ａ、３ａを相互に連結する連結部５とよりなるものであり、例えば図１、図２に示すように、車輌７の箱型荷台９に適合させて形成する。
【００１６】
連結部５は、一例として図３、図１に示す如く、複数本の連結杆よりなるものとするが、連結部５は板状体であっても差し支えない。
【００１７】
広告保持枠１は例えばアルミニウムにより形成するが、アルミニウム以外の材料により形成してもよい。
【００１８】
広告保持枠１における各側部３、３に広告１１を表示させる。
【００１９】
広告保持枠１を車輌７の箱型荷台９に固定手段により着脱自在に取り付ける。この固定手段は、一例として図４に示すように、広告保持枠１における各側部３、３の下縁３ｂの内面に突設した係止突部１３（一方の側部３についてのみ図示）とし、該係止突部１３を車輌７における箱型荷台９の下部に係止するようになす。また、該固定手段として、永久磁石を用いてもよい。
【００２０】
広告保持枠１における各側部３、３には広告１１を表示する広告表示体１５を着脱自在に取り付ける。
【００２１】
即ち、一例として図４に示すように、広告表示体１５を板状となし、広告保持枠１における各側部３、３の上縁３ａと下縁３ｂとの外面にそれぞれ断面略Ｌ字状の支持体１７、１９を相対向させた状態で突設し、該支持体１７、１９と広告保持枠１における各側部３、３との間に形成される支持溝２１、２３内に広告表示体１５を摺嵌する。
【００２２】
広告保持枠１における各側部３、３には発光体２５、２５・・・を内設すると共に該各側部３、３における外側部材３ｃ、３ｃを透光体により形成する。図５参照。
【００２３】
発光体２５としては、例えば蛍光灯、発光ダイオード等を使用する。また、外側部材３ｃ、３ｃを形成する透光体は、一例としてアクリル板とする。この場合、広告１１を透光体により形成してもよい。
【００２４】
なお、発光体２５、２５・・・を内設する各側部３、３の厚さを例えば５〜７ｃｍ程度に抑えることにより、車輌７における箱型荷台９の幅の増加を最小限にとどめ、以て車輌の走行に支障のないようにすることが望ましい。
【００２５】
符号２７に示すものは広告保持枠１における前縁上部に設けられた係止板である。係止板２７は車輌７における箱型荷台９の前部に係止するものである。
【００２６】
【発明の効果】
［請求項１の発明］
車輌用広告看板は、車輌の箱型荷台自体には加工を施すことなく、該箱型荷台に対して取り付け、取り外し、交換が自在であり、車輌用広告看板の取り付け、取り外し、交換に要する費用も少なくて済む。従って、車輌の所有者は、自己のために該車輌用広告看板を使用することができるのみならず、広告主との契約により一定期間を限って該広告主のために車輌用広告看板を該所有者の車輌に取り付けることにより利益を得ることも可能である。
【００２７】
［請求項２の発明］
広告表示体は広告保持枠に対し着脱自在であるため、車輌の箱型荷台から広告保持枠を取り外すことなく広告表示体のみを交換することも可能である。従って、例えば、ある広告主との契約期間が満了したときに、車輌の箱型荷台から広告保持枠を取り外すことなく、当該広告主の広告を表示した広告表示体を広告保持枠から取り外し、他の広告主との契約に基づき当該他の広告主のための広告を表示する広告表示体を広告保持枠に取り付けることもできる。
【００２８】
［請求項３の発明］
広告保持枠における各側部に内設された発光体の光は該各側部における透光体たる外側部材を透過する。従って、広告保持枠における各側部に広告を表示させたときには、該広告は一層効果的なものとなる。
【図面の簡単な説明】
【図１】本発明による車輌用広告看板の一例を車輌の箱型荷台に取り付けた状態を示す側面図である。
【図２】同上の背面図である。
【図３】同上車輌用広告看板の斜視図である。
【図４】同上車輌用広告看板の背面図である。
【図５】同上車輌用広告看板の断面図である。
【符号の説明】
１  広告保持枠
３  側部
３ａ  上縁
３ｂ  下縁
３ｃ  外側部材
５  連結部
７  車輌
９  箱型荷台
１１  広告
１３  係止突部
１５  広告表示体
１７  支持体
１９  支持体
２１  支持溝
２３  支持溝
２５  発光体
２７  係止板
【図１】
2004309852.tif 000003
【図２】
2004309852.tif 000004
【図３】
2004309852.tif 000005
【図４】
2004309852.tif 000006
【図５】
2004309852.tif 000007